(57)【要約】【課題】コンテナに収容された荷物全体に流体を行き届き易くする。【解決手段】本開示のコンテナ１１には、容器４０が、１対の第１側壁２１，２１の間にＭ個、１対の第２側壁２２，２２の間にＮ個、並べて収容される。また、１対の第１側壁２１，２１には、１対の第２側壁２２，２２の間をＮ個に均等分割する複数位置に複数の第１貫通孔３１が備えられ、１対の第２側壁２２，２２には、１対の第１側壁２２，２１の間をＭ個に均等分割する複数位置に複数の第２貫通孔３２が備えられている。【選択図】図５
2019210017.tif 000002
【特許請求の範囲】
【請求項１】
互いに対向する１対の第１側壁と互いに対向する１対の第２側壁とを有する直方体形状をなし、同一形状の複数の荷物が、前記１対の第１側壁の間に第１複数個、前記１対の第２側壁の間に第２複数個、並べて収容されるコンテナであって、
前記１対の第１側壁には、前記１対の第２側壁の間を前記第２複数個に均等分割する複数位置に複数の第１貫通孔が備えられ、それら第１貫通孔の開口横幅は、前記第２複数個に均等分割の分割幅の１／８〜１／２になっているコンテナ。
【請求項２】
前記１対の第２側壁には、前記１対の第１側壁の間を前記第１複数個に均等分割する複数位置に複数の第２貫通孔が備えられ、それら第２貫通孔の開口横幅は、前記第１複数個に均等分割の分割幅の１／８〜１／２になっている請求項１に記載のコンテナ。
【請求項３】
隣り合う前記第１貫通孔同士の間及び隣り合う前記第２貫通孔同士の間に、複数の第３貫通孔が形成されている請求項２に記載のコンテナ。
【請求項４】
前記コンテナの底壁には、少なくとも対向する前記第１貫通孔同士を連絡する複数の連絡領域の下方と、対向する前記第２貫通孔同士を連絡する複数の連絡領域の下方とに沿って並ぶ複数の底孔が設けられている請求項２又は３に記載のコンテナ。
【請求項５】
前記請求項１乃至４の何れか１の請求項に記載のコンテナと、
前記コンテナの内部に複数行、複数列に並べて収容され、水平断面が円形、楕円形、又は、多角形の複数の容器とからなる容器コンテナセット。
【請求項６】
前記容器の一部が他の部分より平断面が小さい絞り部になっている請求項５に記載の容器コンテナセット。
【発明の詳細な説明】
【技術分野】
【０００１】
本開示は、複数の荷物を行列状に並べて収容するコンテナと、そのようなコンテナと荷物としての複数の容器とからなる容器コンテナセットと、に関する。
【背景技術】
【０００２】
従来、この種のコンテナとして、荷物を収容した状態で加熱、冷却、洗浄等の様々な処理を受けるものが知られている（例えば、特許文献１参照）。
【先行技術文献】
【特許文献】
【０００３】
【特許文献１】実公昭５６−１８１８９号公報（図１）
【発明の概要】
【０００４】
しかしながら、従来のコンテナでは、上記処理に使用される熱気、冷気、洗浄水等の流体がコンテナの中央部に行き届かず、処理が不均一になることがある。このため、コンテナに収容された荷物全体に流体を行き届き易くする技術の開発が求められている。
【課題を解決するための手段】
【０００５】
上記課題を解決するためになされた請求項１の発明は、互いに対向する１対の第１側壁と互いに対向する１対の第２側壁とを有する直方体形状をなし、同一形状の複数の荷物が、前記１対の第１側壁の間に第１複数個、前記１対の第２側壁の間に第２複数個、並べて収容されるコンテナであって、前記１対の第１側壁には、前記１対の第２側壁の間を前記第２複数個に均等分割する複数位置に複数の第１貫通孔が備えられ、それら第１貫通孔の開口横幅は、前記第２複数個に均等分割の分割幅の１／８〜１／２になっているコンテナである。
【０００６】
なお、請求項１において、「・・・複数位置に複数の第１貫通孔が備えられ」とは、複数の第１貫通孔の中心が、当該複数位置に配置されているという意味ではなく、複数の第１貫通孔の開口内に、当該複数位置が含まれているという意味である。次述する請求項２の「・・・複数位置に複数の第２貫通孔が備えられ」に関しても同様である。
【０００７】
請求項２の発明は、前記１対の第２側壁には、前記１対の第１側壁の間を前記第１複数個に均等分割する複数位置に複数の第２貫通孔が備えられ、それら第２貫通孔の開口横幅は、前記第１複数個に均等分割の分割幅の１／８〜１／２になっている請求項１に記載のコンテナである。
【０００８】
請求項３の発明は、隣り合う前記第１貫通孔同士の間及び隣り合う前記第２貫通孔同士の間に、複数の第３貫通孔が形成されている請求項２に記載のコンテナである。
【０００９】
請求項４の発明は、前記コンテナの底壁には、少なくとも対向する前記第１貫通孔同士を連絡する複数の連絡領域の下方と、対向する前記第２貫通孔同士を連絡する複数の連絡領域の下方とに沿って並ぶ複数の底孔が設けられている請求項２又は３に記載のコンテナである。
【００１０】
請求項５の発明は、前記請求項１乃至４の何れか１の請求項に記載のコンテナと、前記コンテナの内部に複数行、複数列に並べて収容され、水平断面が円形、楕円形、又は、多角形の複数の容器とからなる容器コンテナセットである。
【００１１】
請求項６の発明は、前記容器の一部が他の部分より平断面が小さい絞り部になっている請求項５に記載の容器コンテナセットである。
【発明の効果】
【００１２】
［請求項１の発明］
請求項１のコンテナに、同一形状の複数の荷物が行列状に並べて収容されると、１対の第１側壁に形成されている複数の第１貫通孔が、荷物の行同士又は列同士の隙間に対向する。これにより、コンテナの側方から複数の第１貫通孔を介してコンテナ内に流れ込む流体が、荷物の行同士又は列同士の隙間を通って、コンテナの中央側の荷物にも届くようになる。即ち、本発明のコンテナを使用すれば、荷物全体に流体が行き届くようになり、流体を使用した処理の均一化を図ることができる。なお、荷物同士の間に流体が通過し得る隙間があれば、荷物同士は当接していてもよい。
【００１３】
［請求項２の発明］
請求項２のコンテナによれば、同一形状の複数の荷物が行列状に並べて収容されると、１対の第１側壁に形成されている複数の第１貫通孔と、１対の第２側壁に形成されている複数の第２貫通孔とが、荷物の行同士の隙間と列同士の隙間とに対向する。これにより、コンテナの側方から第１貫通孔及び第２貫通孔を介してコンテナ内に流れ込む流体が、荷物の行同士の隙間と列同士の隙間とを通って、コンテナの中央側の荷物にも届くようになる。即ち、本発明のコンテナを使用すれば、荷物全体に流体が行き届くようになり、流体を使用した処理の均一化を図ることができる。
【００１４】
［請求項３の発明］
請求項３のコンテナでは、隣り合う第１貫通孔同士の間及び隣り合う第２貫通孔同士の間に形成されている複数の第３貫通孔に流体を通してコンテナの内外に出入りさせることができる。
【００１５】
［請求項４の発明］
請求項４のコンテナでは、段積み状態にされても、複数の底孔を通して上下のコンテナの間で流体が流れ、複数のコンテナの荷物全体に流体が行き届くようになる。
【００１６】
［請求項５及び６の発明］
請求項５の容器コンテナセットでは、容器の水平断面が円形、楕円形、又は、多角形をなしているので、容器の列同士及び行同士の間に隙間が形成され易く、コンテナ内を流体が流れ易くなる。また、請求項６の発明では、容器の絞り部により、容器の列同士及び行同士の隙間が広くなり、流体がスムーズに流れる。
【図面の簡単な説明】
【００１７】
【図１】本開示の実施形態に係る容器コンテナセットの斜視図
【図２】容器の斜視図
【図３】コンテナの上面側斜視図
【図４】コンテナの下面側斜視図
【図５】容器コンテナセットの一部破断の側面図
【図６】容器コンテナセットの一部を拡大した平面図
【発明を実施するための形態】
【００１８】
以下、図１〜図６に示された容器コンテナセット１０の実施形態について説明する。図１に示すように、本実施形態の容器コンテナセット１０は、コンテナ１１と、それに収容される複数の荷物としての複数の容器４０とからなる。
【００１９】
図２に示すように、容器４０は、上下方向の略中央位置から下側が、均一外径の第１円筒部４１をなし、その第１円筒部４１から上方に向かって徐々に縮径する絞り部４２を有する。また、絞り部４２より上側部分には、第１円筒部４１より小径で偏平な第２円筒部４３が備えられ、その第２円筒部４３の上端から側方にフランジ４４が張り出している。そして、フランジ４４の上面にシート状の蓋体４９が溶着又は貼着されて、フランジ４４の内側の上面開口４０Ｋが閉塞されている。なお、容器４０の底面と側面とが交差する角部は、円弧状に面取りされた面取部４５になっている。
【００２０】
図４に示すように、コンテナ１１は、上面が開放した偏平の直方体形状をなし、その平面形状は例えば長方形になっている。また、コンテナ１１の底壁１２は、複数の帯板１２Ａを格子状に交差させて枠体１２Ｂで包囲した構造をなし、全体に複数の長方形の底孔１３を有する。
【００２１】
図３に示すように、コンテナ１１の側壁は、コンテナ１１の平面形状の短手方向(以下、横方向Ｈ１という）で対向する１対の第１側壁２１，２１と、長手方向（以下、縦方向Ｈ２という）で対向する１対の第２側壁２２，２２とからなる。これら第１と第２の側壁２１，２２は、底壁１２から略垂直に起立している（正確には、上方に向かうに従って外側に倒れるように僅かな角度（例えば、０．５〜５度）で傾斜している）。
【００２２】
第１及び第２の側壁２１，２２の外面の上端からは、上端フランジ２３が側方に張り出し、外面の下端からは、下端フランジ２４が側方に張り出している。また、図５に示すように、底壁１２の一部は、下端フランジ２４より下方に突出する下面突部２５になっている。そして、コンテナ１１を段積みすると、下段側のコンテナ１１の上面開口１１Ｋに、上段側のコンテナ１１の下面突部２５が嵌合されて横ずれが防がれる。
【００２３】
図３に示すように、上端フランジ２３と下端フランジ２４とは、複数の縦リブ２６によって連絡されている。縦リブ２６は、コンテナ１１の平面形状の各コーナー部と、縦横の各辺のコーナー寄りの２位置と、中央寄りの２位置とに配置されている。また、第１及び第２の側壁２１，２２の外面の上下方向の中央部分からは、横リブ２７が側方に張り出している。それら横リブ２７は、各辺のコーナー寄りの２位置の縦リブ２６，２６の間に差し渡され、中央寄り２位置の縦リブ２６，２６と直交している。
【００２４】
なお、図４に示すように、上端フランジ２３及び下端フランジ２４の側方への張り出し量は、横方向Ｈ１より縦方向Ｈ２の方が大きくなっている。それに対応して、縦リブ２６の側方への張り出し量も、横方向Ｈ１より縦方向Ｈ２の方が大きくなっている。また、横リブ２７は、横方向Ｈ１と縦方向Ｈ２の張り出し量が略同一になっている。
【００２５】
各辺の中央寄り２位置の縦リブ２６，２６の間には、下端フランジ２４の外縁部が切りか欠かれて切欠部２４Ａが形成されている。また、下端フランジ２４のうち切欠部２４Ａが形成されていない部分の下面には、外縁部と縦リブ２６の真下位置とを除く略全体を段付き状に陥没させて凹部２４Ｂが形成されている。
【００２６】
図１に示すように、１対の第１側壁２１，２１同士の間隔は、容器４０が丁度、Ｍ個（例えば、６個）並んで収まる大きさをなし、１対の第２側壁２２，２２同士の間隔は、容器４０が丁度、Ｎ個（例えば、８個）並んで収まる大きさをなしている。つまり、コンテナ１１は、内側に容器４０がＭ行Ｎ列に並べて丁度収まる大きさをなしている。また、図５に示すように、コンテナ１１内は、容器４０の上面が、コンテナ１１の内側面の全高さの略３／４に位置する高さになっている。
【００２７】
各第１側壁２１及び各第２側壁２２には、複数の貫通孔が横リブ２７を挟んで上下２段にして設けられている。各第１側壁２１の複数の貫通孔は、コンテナ１１内のＭ行Ｎ列の容器４０の各列同士の隙間に対応する複数の第１貫通孔３１と、それら第１貫通孔３１以外の複数の第３貫通孔３３とからなる。また、各第２側壁２２の複数の貫通孔は、コンテナ１１内のＭ行Ｎ列の容器４０の各行同士の隙間に対応する複数の第２貫通孔３２と、それら第２貫通孔３２以外の複数の第３貫通孔３３とからなる。さらに、これら第１〜第３の貫通孔３１〜３３は、何れも縦長の長方形になっている。
【００２８】
詳細には、複数の第１貫通孔３１は、各第１側壁２１のうち１対の第２側壁２２，２２の間をＮ等分する複数位置が、それら複数の第１貫通孔３１の開口横幅ｂの中央又はその近傍に位置するように配置されている。それと同様に、複数の第２貫通孔３２は、各第２側壁２２のうち１対の第１側壁２１，２１の間をＭ等分する複数位置が、それら第２貫通孔３２の開口横幅ｂの中央又はその近傍に位置するように配置されている。また、第１貫通孔３１及び第２貫通孔３２の開口横幅ｂは、第１側壁２１のうち１対の第２側壁２２，２２の間をＮ等分したときの分割幅ａに対して１／８〜１／２（より詳細には、１／５〜１／３）の大きさをなしている。そして、コンテナ１１内に容器４０がＭ行Ｎ列の行列状に収容されると、第１貫通孔３１及び第２貫通孔３２が、容器４０の列同士の隙間と、行同士の隙間とに対向する。
【００２９】
第３貫通孔３３は、第１貫通孔３１，３１の間又は、第２貫通孔３２，３２の間に、縦１列つ又は縦２列にして配置され、１列の第３貫通孔３３の方が２列の第３貫通孔３３より開口横幅が広く、その開口横幅は、第１貫通孔３１の開口横幅ｂと略同一になっている。
【００３０】
本実施形態の容器コンテナセット１０の構成に関する説明は以上である。次ぎに、この容器コンテナセット１０の作用効果について説明する。
【００３１】
複数の容器４０は、例えば発酵食品の原材料を収容した状態で上面開口４０Ｋを蓋体４９にて封止される。そして、それら容器４０が、図１に示すように、コンテナ１１内に縦横に行列状に並べて収容される。また、図示しないが、容器４０群を収容したコンテナ１１は、段積みされて、前記発酵食品の発酵促進のための空調室に保管される。
【００３２】
ところで、空調室では、室内全体が均一温度になるように空気（流体）が流れている。これに対し、本実施形態のコンテナ１１では、１対の第１側壁２１，２１に形成されている複数の第１貫通孔３１と、１対の第２側壁２２，２２に形成されている複数の第２貫通孔３２とが、コンテナ１１内の容器４０の行同士の隙間と列同士の隙間とに対向している。これにより、図６の矢印に示すように空気が、第１貫通孔３１又は第２貫通孔３２を通過してから、容器４０の行同士の隙間又は列同士の隙間を通ってコンテナ１１の中央側の容器４０にも届く。
【００３３】
また、容器４０は、水平断面が円形をなしているので、容器４０同士の間で空気がスムーズに流れる。しかも、容器４０の一部は縮径した形状になっているので、容器４０同士の間に確実に空気の流路となる隙間が確保される。また、コンテナ１１には、容器４０同士の隙間と対向していない部分にも第３貫通孔３３が形成されているので、それら第３貫通孔３３を通しても空気がコンテナ１１の内外に出入りするようになり、第１貫通孔３１又は第２貫通孔３２のみを備えた構造のものに比べて小さい流体抵抗でコンテナ１１内に空気を通過させることができる。さらに、コンテナ１１の底壁１２全体には複数の底孔１３が形成されているので、それら底孔１３を通して上下のコンテナ１１，１１の間でも空気が流れる。
【００３４】
これらにより、複数段の各コンテナ１１にそれぞれ収容された複数の容器４０全体に空気が行き届くようになり、それら複数の容器４０の温度の均一化が図られ、発酵処理の均一化も図られる。
【００３５】
［他の実施形態］
（１）前記実施形態のコンテナ１１は、第１側壁２１と第２側壁２２との両方に容器４０同士の隙間に対向する貫通孔を備えていたが、第１側壁２１のみ又は第２側壁２２のみに容器同士の隙間に対向する貫通孔を備えてもよい。
【００３６】
（２）前記実施形態のコンテナ１１は、折り畳み不能であったが、折り畳み可能なコンテナにおいて、収容する荷物の隙間に対向する前述第１貫通孔又は第２貫通孔を備えてもよい。
【００３７】
（３）前記実施形態では、流体としての空気が、第１及び第２の貫通孔３１，３２等を通る例を示したが、洗浄液、加熱水、冷却水等の液体を流体として第１及び第２の貫通孔３１，３２等に通して容器４０に所定の処理を施してもよい。
【００３８】
（４）前記実施形態の容器４０は、上下方向の中間部から上方に向かって縮径した絞り部４２を有していたが、容器全体が上方又は下方に向かって縮径した形状とし、その上下方向の一端側の大径部に対して他端側の小径部を「絞り部」としてもよい。また、絞り部は、全体を縮径したものに限定されず、例えば、容器の一部を一側方から凹ませて、その凹ませた部分を絞り部としてもよい。
【００３９】
（５）前記実施形態のコンテナ１１では、底壁１２の全体に複数の底孔１３が形成されていてが、例えば、底壁１２のうち対向する第１貫通孔３１，３１同士を結ぶ複数の連絡領域の真下位置と、対向する第２貫通孔３２，３２同士を結ぶ複数の連絡領域の真下位置とだけに、複数の底孔１３が並べて設けられた構成としてもよい。
【符号の説明】
【００４０】
１０    容器コンテナセット
１１    コンテナ
１１Ｋ    上面開口
１２    底壁
１３    底孔
２１    第１側壁
２２    第２側壁
３１    第１貫通孔
３２    第２貫通孔
３３    第３貫通孔
４０    容器
ａ    分割幅
ｂ    開口横幅
【図１】
2019210017.tif 000003
【図２】
2019210017.tif 000004
【図３】
2019210017.tif 000005
【図４】
2019210017.tif 000006
【図５】
2019210017.tif 000007
【図６】
2019210017.tif 000008